(57)【特許請求の範囲】
【請求項１】
写真と動画を撮影する撮影装置と、前記撮影装置とネットワークを介して接続する管理サーバとを有する写真・動画像提供システムであって、
前記撮影装置は、制御部と、記憶部と、撮影部と、印刷部と、通信部とを備え、
前景画像となる前景写真データと、背景画像となる背景画像データとがイベントＩＤに対応付けて前記記憶部に記憶されており、
前記記憶部に記憶された処理プログラムを前記制御部が読み込んで実行される機能実現手段として、
前記撮影部で写真撮影が為されると、撮影した写真データを前記記憶部に記憶する写真撮影手段と、
前記撮影した写真データと前記前景写真データ及び前記背景画像データとを合成して合成写真データを生成し、前記記憶部に記憶する写真合成手段と、
前記撮影部で動画撮影が為されると、撮影した動画データを前記記憶部に記憶する動画撮影手段と、
前記撮影した動画データと前記背景画像データとを合成して合成動画データを生成し、前記記憶部に記憶する動画合成手段と、
前記合成写真データと前記管理サーバにアクセスするための情報と前記イベントＩＤの情報を含む識別情報とを前記印刷部でシートに印刷する印刷手段と、
前記合成写真データと前記合成動画データとに前記イベントＩＤを付して前記通信部により前記管理サーバにアップロードするデータアップロード手段とを有し、
前記管理サーバは、制御装置と、記憶装置とを備え、
前記記憶装置に記憶された処理プログラムを前記制御装置が読み込んで実行される機能実現手段として、
前記撮影装置からアップロードされた前記合成写真データと前記合成動画データとをイベントＩＤに対応付けて前記記憶装置に格納する受付手段と、
前記シートに印刷された前記識別情報を基にユーザの携帯端末から前記管理サーバにアクセスがあると、前記識別情報に含まれる前記イベントＩＤに対応する合成写真データを前記携帯端末にダウンロードする写真データダウンロード手段と、
前記イベントＩＤに対応する合成動画データを前記携帯端末にダウンロードする動画データダウンロード手段とを有することを特徴とする写真・動画像提供システム。
【請求項２】
印刷手段は、識別情報に撮影毎に付与されるユーザＩＤも含めてシートに印刷し、
データアップロード手段は、イベントＩＤに加えて前記ユーザＩＤを付してアップロードし、
受付手段は、前記イベントＩＤと前記ユーザＩＤの組み合わせに対応付けて合成写真データと合成動画データを記憶装置に格納し、
写真データダウンロード手段は、前記識別情報に含まれる前記イベントＩＤと前記ユーザＩＤの組み合わせに対応する合成写真データを携帯端末にダウンロードし、
動画データダウンロード手段は、前記識別情報に含まれる前記イベントＩＤに対応する合成動画データを前記携帯端末にダウンロードすることを特徴とする請求項１記載の写真・動画像提供システム。
【請求項３】
撮影装置における記憶部に記憶された処理プログラムを制御部に読み込んで実行される機能実現手段として、
合成動画データをイベントＩＤ単位に統合して統合動画データを生成する統合手段を有し、
動画データダウンロード手段は、識別情報に含まれる前記イベントＩＤに対応する前記統合動画データを携帯端末にダウンロードすることを特徴とする請求項２記載の写真・動画像提供システム。
【請求項４】
写真合成手段は、合成写真データに加えて、撮影部で撮影された写真データと背景画像データとを合成して撮影写真データを生成して記憶部に記憶し、
印刷手段は、前記合成写真データに加えて、前記撮影写真データをシートに印刷し、
データアップロード手段は、前記合成写真データと前記撮影写真データについてイベントＩＤにユーザＩＤを付してアップロードし、
統合手段は、前記撮影写真データをイベントＩＤ単位に統合して編集写真データを生成し、
受付手段は、前記イベントＩＤと前記ユーザＩＤの組み合わせに対応付けて前記合成写真データと前記撮影写真データを記憶装置に格納し、
写真データダウンロード手段は、識別情報に含まれる前記イベントＩＤと前記ユーザＩＤの組み合わせに対応する前記合成写真データ及び前記撮影写真データを携帯端末にダウンロードし、
動画データダウンロード手段は、統合動画データのダウンロードに加えて、前記識別情報に含まれる前記イベントＩＤに対応する前記編集写真データを前記携帯端末にダウンロードすることを特徴とする請求項３記載の写真・動画像提供システム。
【請求項５】
撮影装置の記憶部には、イベントＩＤとユーザＩＤの組み合わせに対応してユーザのグループ名又は／及び氏名が記憶されており、
イベント参加者に予め配布した前記イベントＩＤと前記ユーザＩＤの情報が撮影の際に撮影部で読み取られると、
印刷手段は、識別情報に前記イベントＩＤと前記ユーザＩＤの情報を含めてシートに印刷すると共に、前記記憶部から前記イベントＩＤと前記ユーザＩＤの組み合わせに対応したユーザのグループ名又は／及び氏名の情報を取得して前記シートにユーザのグループ名又は／及び氏名の情報を印刷することを特徴とする請求項３又は４記載の写真・動画像提供システム。
【請求項６】
統合手段は、統合動画データを生成する際に、当該データ中でイベントＩＤとユーザＩＤの組み合わせに対応した動画データについて対応するユーザのグループ名又は／及び氏名の情報を挿入することを特徴とする請求項５記載の写真・動画像提供システム。
【請求項７】
撮影装置の記憶部に記憶された前景写真データは、当該撮影装置の撮影部で撮影され、イベントＩＤに対応付けられていることを特徴とする請求項１乃至６のいずれか記載の写真・動画像提供システム。
【請求項８】
撮影装置の記憶部に記憶された背景画像データで、撮影動画データと合成されるものは、写真データ又は動画データであることを特徴とする請求項１乃至７のいずれか記載の写真・動画像提供システム。
【請求項９】
写真と動画を撮影する撮影装置と、前記撮影装置とネットワークを介して接続する管理サーバとを有する写真・動画像提供システムであって、
前記撮影装置は、制御部と、記憶部と、撮影部と、表示部と、通信部とを備え、
前景画像となる前景写真データと、背景画像となる背景画像データとがイベントＩＤに対応付けて前記記憶部に記憶されており、
前記記憶部に記憶された処理プログラムを前記制御部が読み込んで実行される機能実現手段として、
前記撮影部で写真撮影が為されると、撮影した写真データを前記記憶部に記憶する写真撮影手段と、
前記撮影した写真データと前記前景写真データ及び前記背景画像データとを合成して合成写真データを生成し、前記記憶部に記憶する写真合成手段と、
前記撮影部で動画撮影が為されると、撮影した動画データを前記記憶部に記憶する動画撮影手段と、
前記撮影した動画データと前記背景画像データとを合成して合成動画データを生成し、前記記憶部に記憶する動画合成手段と、
前記合成写真データと前記管理サーバにアクセスするための情報と前記イベントＩＤの情報を含む識別情報とを前記表示部に表示する表示手段と、
前記イベントＩＤに対応する合成動画データを前記イベントＩＤ単位に統合して統合動画データを生成する統合手段と、
前記合成写真データと前記統合動画データとに前記イベントＩＤを付して前記通信部により前記管理サーバにアップロードするデータアップロード手段とを有し、
前記管理サーバは、制御装置と、記憶装置とを備え、
前記記憶装置に記憶された処理プログラムを前記制御装置が読み込んで実行される機能実現手段として、
前記撮影装置からアップロードされた前記合成写真データと前記統合動画データとをイベントＩＤに対応付けて前記記憶装置に格納する受付手段と、
前記表示部に表示された前記識別情報を基にユーザの携帯端末から前記管理サーバにアクセスがあると、前記識別情報に含まれる前記イベントＩＤに対応する合成写真データを前記携帯端末にダウンロードする写真データダウンロード手段と、
前記識別情報に含まれる前記イベントＩＤに対応する前記統合動画データを前記携帯端末にダウンロードする動画データダウンロード手段とを有することを特徴とする写真・動画像提供システム。
【請求項１０】
表示手段は、識別情報に撮影毎に付与されるユーザＩＤも含めて表示部に表示し、
データアップロード手段は、イベントＩＤに加えて前記ユーザＩＤを付してアップロードし、
受付手段は、前記イベントＩＤと前記ユーザＩＤの組み合わせに対応付けて合成写真データと統合動画データを記憶装置に格納し、
写真データダウンロード手段は、前記識別情報に含まれる前記イベントＩＤと前記ユーザＩＤの組み合わせに対応する合成写真データを携帯端末にダウンロードし、
動画データダウンロード手段は、前記識別情報に含まれる前記イベントＩＤに対応する統合動画データを前記携帯端末にダウンロードすることを特徴とする請求項９記載の写真・動画像提供システム。
【請求項１１】
動画合成手段は、イベントＩＤとユーザＩＤの組み合わせに対応付けられた合成写真データと合成動画データを基に個人用合成動画データを生成し、記憶部に記憶させ、
データアップロード手段は、イベントＩＤとユーザＩＤの組み合わせに対応付けて個人用合成動画データをアップロードし、
受付手段は、前記イベントＩＤと前記ユーザＩＤの組み合わせに対応付けて前記個人用合成動画データを記憶装置に格納し、
動画データダウンロード手段は、識別情報に含まれる前記イベントＩＤと前記ユーザＩＤの組み合わせに対応する前記個人用合成動画データを携帯端末にダウンロードすることを特徴とする請求項１０記載の写真・動画像提供システム。
【請求項１２】
写真と動画を撮影する撮影装置と、前記撮影装置とネットワークを介して接続する管理サーバとを有する写真・動画像提供システムであって、
前記撮影装置は、制御部と、記憶部と、撮影部と、表示部と、通信部とを備え、
前記記憶部に記憶された処理プログラムを前記制御部が読み込んで実行される機能実現手段として、
写真撮影された写真データを前記記憶部に記憶する写真撮影手段と、
動画撮影された動画データを前記記憶部に記憶する動画撮影手段と、
前記管理サーバにアクセスするための情報、イベントＩＤの情報及び撮影毎に付与されるユーザＩＤの情報を含む識別情報とを前記表示部に表示する表示手段と、
前記写真データと前記動画データとに前記イベントＩＤ及び前記ユーザＩＤを付して前記通信部により前記管理サーバにアップロードするデータアップロード手段とを有し、
前記管理サーバは、制御装置と、記憶装置とを備え、
前記記憶装置に記憶された処理プログラムを前記制御装置が読み込んで実行される機能実現手段として、
前景画像となる前景写真データと、背景画像となる背景画像データとがイベントＩＤとユーザＩＤとの組み合わせに対応付けて前記記憶装置に記憶されており、
前記撮影装置からアップロードされた前記写真データと前記動画データとをイベントＩＤとユーザＩＤの組み合わせに対応付けて前記記憶装置に格納する受付手段と、
前記写真データと前記前景写真データ及び前記背景画像データとを合成して合成写真データを生成し、前記イベントＩＤと前記ユーザＩＤの組み合わせに対応付けて前記記憶装置に記憶する写真合成手段と、
前記動画データと前記背景画像データとを合成して合成動画データを生成し、前記イベントＩＤと前記ユーザＩＤの組み合わせに対応付けて前記記憶装置に記憶する動画合成手段と、
前記イベントＩＤに対応する合成動画データを前記イベントＩＤ単位に統合して統合動画データを生成する統合手段と、
前記表示部に表示された前記識別情報を基にユーザの携帯端末から前記管理サーバにアクセスがあると、前記識別情報に含まれる前記イベントＩＤと前記ユーザＩＤの組み合わせに対応する合成写真データを前記携帯端末にダウンロードする写真データダウンロード手段と、
前記イベントＩＤに対応する前記統合動画データを前記携帯端末にダウンロードする動画データダウンロード手段とを有することを特徴とする写真・動画像提供システム。
【請求項１３】
動画合成手段は、イベントＩＤとユーザＩＤの組み合わせに対応付けられた合成写真データと合成動画データを基に個人用合成動画データを生成して記憶装置に記憶し、
動画データダウンロード手段は、識別情報に含まれる前記イベントＩＤと前記ユーザＩＤの組み合わせに対応する前記個人用合成動画データを携帯端末にダウンロードすることを特徴とする請求項１２記載の写真・動画像提供システム。
【発明の詳細な説明】
【技術分野】
【０００１】
本発明は、写真及び動画像を提供するシステムに係り、特に、イベントにおける記念となる写真及び動画像を容易にイベントの参加者に提供できる写真・動画像提供システムに関する。
【背景技術】
【０００２】
［従来の技術］
従来の写真撮影装置は、カーテンで仕切られた空間内で撮影された写真に様々なフレームを合成し、手書き文字を重ね合わせた写真を印刷するものとなっていた。
【０００３】
［関連技術］
尚、従来の写真撮影装置に関連する先行技術文献として、特開２００４−１３９２６７号公報「短時間印刷システム」（株式会社きど印刷所）［特許文献１］、特開２００６−２９３５８０号公報「音声付き画像提供システム」（カシオ計算機株式会社）［特許文献２］、特許第４７４７８４８号公報「写真シール提供システム」（フリュー株式会社）［特許文献３］、特許第４７４６４７３号公報「自動写真作成装置」（辰巳電子工業株式会社）［特許文献４］、特許第５０７１５６８号公報「画像提供装置」（フリュー株式会社）［特許文献５］、特開２０１２−１７５３２４号公報「自動写真作成システム」（辰巳電子工業株式会社）［特許文献６］がある。
【０００４】
以下、関連する先行技術文献について説明する。
特許文献１には、ブライダルアルバムを作成する技術が示されている。
特許文献２には、写真の枠外に２次元コードを印刷し、それを携帯端末で読み取ると音声データをダウンロードすることが示されている。
【０００５】
特許文献３には、画像提供装置が複数の写真データを編集した「つなぎプリ」を携帯電話機の表示部の縦横比に一致させるよう加工して送信することが示されている。
特許文献４には、自動写真作成装置が外部から受信したデータに識別情報が付加されている場合に、写真を印刷し、又は写真データを端末に送信することが示されている。
【０００６】
特許文献５には、顧客の個人ＩＤに基づいて顧客毎に撮影画像を記憶し、テーマによって組み合わせ画像を生成し、組み合わせ画像のプレビューを携帯端末に表示させ、指示によりダウンロードすることが示されている。
特許文献６には、サーバがプリ写真を端末からの要求で配信し、隠れて重なって見えない部分の一部を表示可能とすることが示されている。
【先行技術文献】
【特許文献】
【０００７】
【特許文献１】特開２００４−１３９２６７号公報
【特許文献２】特開２００６−２９３５８０号公報
【特許文献３】特許第４７４７８４８号公報
【特許文献４】特許第４７４６４７３号公報
【特許文献５】特許第５０７１５６８号公報
【特許文献６】特開２０１２−１７５３２４号公報
【発明の概要】
【発明が解決しようとする課題】
【０００８】
しかしながら、上記従来の写真撮影装置では、イベントとして例えば結婚披露宴の記念写真や記念動画を撮影するのは不向きであるとの問題点があった。
尚、上記特許文献１〜６には、結婚披露宴等のイベントに出席する参加者が個々に撮影した記念写真、記念動画を合成、編集して個々の参加者に効率的に配信することが配慮されていない。
【０００９】
本発明は上記実情に鑑みて為されたもので、結婚披露宴等のイベントの記念写真、記念動画を撮影し、招待客等の参加者に提供するのに最適な写真・動画像提供システムを提供することを目的とする。
【課題を解決するための手段】
【００１０】
（基本構成）
上記従来例の問題点を解決するための本発明は、写真と動画を撮影する撮影装置と、撮影装置とネットワークを介して接続する管理サーバとを有する写真・動画像提供システムであって、
撮影装置は、制御部と、記憶部と、撮影部と、印刷部と、通信部とを備え、前景画像となる前景写真データと、背景画像となる背景画像データとがイベントＩＤに対応付けて記憶部に記憶されており、記憶部に記憶された処理プログラムを制御部が読み込んで実行される機能実現手段として、撮影部で写真撮影が為されると、撮影した写真データを記憶部に記憶する写真撮影手段と、撮影した写真データと前景写真データ及び背景画像データとを合成して合成写真データを生成し、記憶部に記憶する写真合成手段と、撮影部で動画撮影が為されると、撮影した動画データを記憶部に記憶する動画撮影手段と、撮影した動画データと背景画像データとを合成して合成動画データを生成し、記憶部に記憶する動画合成手段と、合成写真データと管理サーバにアクセスするための情報とイベントＩＤの情報を含む識別情報とを印刷部でシートに印刷する印刷手段と、合成写真データと合成動画データとにイベントＩＤを付して通信部により管理サーバにアップロードするデータアップロード手段とを有し、
管理サーバは、制御装置と、記憶装置とを備え、記憶装置に記憶された処理プログラムを制御装置が読み込んで実行される機能実現手段として、撮影装置からアップロードされた合成写真データと合成動画データとをイベントＩＤに対応付けて記憶装置に格納する受付手段と、シートに印刷された識別情報を基にユーザの携帯端末から管理サーバにアクセスがあると、識別情報に含まれるイベントＩＤに対応する合成写真データを携帯端末にダウンロードする写真データダウンロード手段と、イベントＩＤに対応する合成動画データを携帯端末にダウンロードする動画データダウンロード手段とを有することを特徴とする。
【００１１】
（イベントＩＤとユーザＩＤの組み合わせを利用）
本発明は、上記写真・動画像提供システムにおいて、印刷手段が、識別情報に撮影毎に付与されるユーザＩＤも含めてシートに印刷し、データアップロード手段が、イベントＩＤに加えてユーザＩＤを付してアップロードし、受付手段が、イベントＩＤとユーザＩＤの組み合わせに対応付けて合成写真データと合成動画データを記憶装置に格納し、写真データダウンロード手段が、識別情報に含まれるイベントＩＤとユーザＩＤの組み合わせに対応する合成写真データを携帯端末にダウンロードし、動画データダウンロード手段が、識別情報に含まれるイベントＩＤに対応する合成動画データを携帯端末にダウンロードすることを特徴とする。
【００１２】
（動画データの編集手段を追加）
本発明は、上記写真・動画像提供システムにおいて、撮影装置における記憶部に記憶された処理プログラムを制御部に読み込んで実行される機能実現手段として、合成動画データをイベントＩＤ単位に統合して統合動画データを生成する統合手段を有し、動画データダウンロード手段が、識別情報に含まれるイベントＩＤに対応する統合動画データを携帯端末にダウンロードすることを特徴とする。
【００１３】
（撮影写真データを含め、編集写真データを生成する統合手段を追加）
本発明は、上記写真・動画像提供システムにおいて、写真合成手段が、合成写真データに加えて、撮影部で撮影された写真データと背景画像データとを合成して撮影写真データを生成して記憶部に記憶し、印刷手段が、合成写真データに加えて、撮影写真データをシートに印刷し、データアップロード手段が、合成写真データと撮影写真データについてイベントＩＤにユーザＩＤを付してアップロードし、統合手段が、撮影写真データをイベントＩＤ単位に統合して編集写真データを生成し、受付手段が、イベントＩＤとユーザＩＤの組み合わせに対応付けて合成写真データと撮影写真データを記憶部装置に格納し、写真データダウンロード手段が、識別情報に含まれるイベントＩＤとユーザＩＤの組み合わせに対応する合成写真データ及び撮影写真データを携帯端末にダウンロードし、動画データダウンロード手段が、統合動画データのダウンロードに加えて、識別情報に含まれるイベントＩＤに対応する編集写真データを携帯端末にダウンロードすることを特徴とする。
【００１４】
（ユーザＩＤが予め定まった応用例）
本発明は、上記写真・動画像提供システムにおいて、撮影装置の記憶部には、イベントＩＤとユーザＩＤの組み合わせに対応してユーザのグループ名又は／及び氏名が記憶されており、イベント参加者に予め配布したイベントＩＤとユーザＩＤの情報が撮影の際に撮影部で読み取られると、印刷手段が、識別情報にイベントＩＤとユーザＩＤの情報を含めてシートに印刷すると共に、記憶部からイベントＩＤとユーザＩＤの組み合わせに対応したユーザのグループ名又は／及び氏名の情報を取得してシートにユーザのグループ名又は／及び氏名の情報を印刷することを特徴とする。
【００１５】
（応用例の統合手段）
本発明は、上記写真・動画像提供システムにおいて、統合手段は、統合動画データを生成する際に、当該データ中でイベントＩＤとユーザＩＤの組み合わせに対応した動画データについて対応するユーザのグループ名又は／及び氏名の情報を挿入することを特徴とする。
【００１６】
（前景写真データが撮影部で撮影されたもの）
本発明は、上記写真・動画像提供システムにおいて、撮影装置の記憶部に記憶された前景写真データは、当該撮影装置の撮影部で撮影され、イベントＩＤに対応付けられていることを特徴とする。
【００１７】
（動画データの背景画像が写真データ又は動画データである）
本発明は、上記写真・動画像提供システムにおいて、撮影装置の記憶部に記憶された背景画像データで、撮影動画データと合成されるものは、写真データ又は動画データであることを特徴とする。
【００１８】
（基本構成２  印刷部がなく表示部がある構成）
本発明は、写真と動画を撮影する撮影装置と、撮影装置とネットワークを介して接続する管理サーバとを有する写真・動画像提供システムであって、
撮影装置は、制御部と、記憶部と、撮影部と、表示部と、通信部とを備え、前景画像となる前景写真データと、背景画像となる背景画像データとがイベントＩＤに対応付けて記憶部に記憶されており、記憶部に記憶された処理プログラムを制御部が読み込んで実行される機能実現手段として、撮影部で写真撮影が為されると、撮影した写真データを記憶部に記憶する写真撮影手段と、撮影した写真データと前景写真データ及び背景画像データとを合成して合成写真データを生成し、記憶部に記憶する写真合成手段と、撮影部で動画撮影が為されると、撮影した動画データを記憶部に記憶する動画撮影手段と、撮影した動画データと背景画像データとを合成して合成動画データを生成し、記憶部に記憶する動画合成手段と、合成写真データと管理サーバにアクセスするための情報とイベントＩＤの情報を含む識別情報とを表示部に表示する表示手段と、イベントＩＤに対応する合成動画データをイベントＩＤ単位に統合して統合動画データを生成する統合手段と、合成写真データと統合動画データとにイベントＩＤを付して通信部により管理サーバにアップロードするデータアップロード手段とを有し、
管理サーバは、制御装置と、記憶装置とを備え、記憶装置に記憶された処理プログラムを制御装置が読み込んで実行される機能実現手段として、撮影装置からアップロードされた合成写真データと統合動画データとをイベントＩＤに対応付けて記憶装置に格納する受付手段と、表示部に表示された識別情報を基にユーザの携帯端末から管理サーバにアクセスがあると、識別情報に含まれるイベントＩＤに対応する合成写真データを携帯端末にダウンロードする写真データダウンロード手段と、識別情報に含まれるイベントＩＤに対応する統合動画データを携帯端末にダウンロードする動画データダウンロード手段とを有することを特徴とする。
【００１９】
（イベントＩＤとユーザＩＤの組み合わせを利用）
本発明は、上記写真・動画像提供システムにおいて、表示手段が、識別情報に撮影毎に付与されるユーザＩＤも含めて表示部に表示し、データアップロード手段が、イベントＩＤに加えてユーザＩＤを付してアップロードし、受付手段が、イベントＩＤとユーザＩＤの組み合わせに対応付けて合成写真データと統合動画データを記憶装置に格納し、写真データダウンロード手段が、識別情報に含まれるイベントＩＤとユーザＩＤの組み合わせに対応する合成写真データを携帯端末にダウンロードし、動画データダウンロード手段が、識別情報に含まれるイベントＩＤに対応する統合動画データを携帯端末にダウンロードすることを特徴とする。
【００２０】
（基本構成２  個人用合成動画データをダウンロード）
本発明は、上記写真・動画像提供システムにおいて、動画合成手段が、イベントＩＤとユーザＩＤの組み合わせに対応付けられた合成写真データと合成動画データを基に個人用合成動画データを生成し、記憶部に記憶させ、データアップロード手段が、イベントＩＤとユーザＩＤの組み合わせに対応付けて個人用合成動画データをアップロードし、受付手段が、イベントＩＤとユーザＩＤの組み合わせに対応付けて個人用合成動画データを記憶装置に格納し、動画データダウンロード手段が、識別情報に含まれるイベントＩＤとユーザＩＤの組み合わせに対応する個人用合成動画データを携帯端末にダウンロードすることを特徴とする。
【００２１】
（基本構成３  印刷部がなく、タブレット型を想定したシステム）
本発明は、写真と動画を撮影する撮影装置と、撮影装置とネットワークを介して接続する管理サーバとを有する写真・動画像提供システムであって、
撮影装置は、制御部と、記憶部と、撮影部と、表示部と、通信部とを備え、記憶部に記憶された処理プログラムを制御部が読み込んで実行される機能実現手段として、写真撮影された写真データを記憶部に記憶する写真撮影手段と、動画撮影された動画データを記憶部に記憶する動画撮影手段と、管理サーバにアクセスするための情報、イベントＩＤの情報及び撮影毎に付与されるユーザＩＤの情報を含む識別情報とを表示部に表示する表示手段と、写真データと動画データとにイベントＩＤ及びユーザＩＤを付して通信部により管理サーバにアップロードするデータアップロード手段とを有し、
管理サーバは、制御装置と、記憶装置とを備え、記憶装置に記憶された処理プログラムを制御装置が読み込んで実行される機能実現手段として、前景画像となる前景写真データと、背景画像となる背景画像データとがイベントＩＤとユーザＩＤとの組み合わせに対応付けて記憶装置に記憶されており、撮影装置からアップロードされた写真データと動画データとをイベントＩＤとユーザＩＤの組み合わせに対応付けて記憶装置に格納する受付手段と、写真データと前景写真データ及び背景画像データとを合成して合成写真データを生成し、イベントＩＤとユーザＩＤの組み合わせに対応付けて記憶装置に記憶する写真合成手段と、動画データと背景画像データとを合成して合成動画データを生成し、イベントＩＤとユーザＩＤの組み合わせに対応付けて記憶装置に記憶する動画合成手段と、イベントＩＤに対応する合成動画データをイベントＩＤ単位に統合して統合動画データを生成する統合手段と、表示部に表示された識別情報を基にユーザの携帯端末から管理サーバにアクセスがあると、識別情報に含まれるイベントＩＤとユーザＩＤの組み合わせに対応する合成写真データを携帯端末にダウンロードする写真データダウンロード手段と、イベントＩＤに対応する統合動画データを携帯端末にダウンロードする動画データダウンロード手段とを有することを特徴とする。
【００２２】
（基本構成３  個人用合成動画データをダウンロード）
本発明は、上記写真・動画像提供システムにおいて、動画合成手段が、イベントＩＤとユーザＩＤの組み合わせに対応付けられた合成写真データと合成動画データを基に個人用合成動画データを生成して記憶装置に記憶し、動画データダウンロード手段が、識別情報に含まれるイベントＩＤとユーザＩＤの組み合わせに対応する個人用合成動画データを携帯端末にダウンロードすることを特徴とする。
【発明の効果】
【００２３】
本発明によれば、撮影装置で実現される写真撮影手段が、撮影部で写真撮影が為されると、撮影した写真データを記憶部に記憶し、写真合成手段が、撮影した写真データと前景写真データ及び背景画像データとを合成して合成写真データを生成し、記憶部に記憶し、動画撮影手段が、撮影部で動画撮影が為されると、撮影した動画データを記憶部に記憶し、動画合成手段が、撮影した動画データと背景画像データとを合成して合成動画データを生成し、記憶部に記憶し、印刷手段が、合成写真データと管理サーバにアクセスするための情報とイベントＩＤの情報を含む識別情報とを印刷部でシートに印刷し、データアップロード手段が、合成写真データと合成動画データとにイベントＩＤを付して通信部により管理サーバにアップロードし、管理サーバで実現される受付手段が、撮影装置からアップロードされた合成写真データと動画データとをイベントＩＤに対応付けて記憶装置に格納し、写真データダウンロード手段が、シートに印刷された識別情報を基にユーザの携帯端末から管理サーバにアクセスがあると、識別情報に含まれるイベントＩＤに対応する合成写真データを携帯端末にダウンロードし、動画データダウンロード手段が、イベントＩＤに対応する合成動画データを携帯端末にダウンロードする写真・動画像提供システムとしているので、イベントにおいて記念写真をシートで提供できると共に、記念写真データと記念動画データで容易にお客に提供できる効果がある。
【図面の簡単な説明】
【００２４】
【図１】本システムの概略図である。
【図２】写真・動画撮影装置の構成ブロック図である。
【図３】ＰＣの内部構成を示す図である。
【図４】写真・動画撮影装置の外観図であり、（ａ）が正面図、（ｂ）が右側面図である。
【図５】管理サーバ２の構成ブロック図である。
【図６】ユーザデータ管理テーブルを示す概略図である。
【図７】結婚式管理テーブルを示す概略図である。
【図８】写真・動画撮影装置での処理を示すフローチャートである。
【図９】管理サーバでの処理（１）を示すフローチャートである。
【図１０】管理サーバでの処理（２）を示すフローチャートである。
【図１１】前景画像、撮影画像、背景画像を示す図である。
【図１２】合成画像を示す図である。
【図１３】別の写真・動画撮影装置の外観図であり、（ａ）が正面図、（ｂ）が右側面図である。
【図１４】携帯端末の処理を示すフローチャートである。
【発明を実施するための形態】
【００２５】
本発明の実施の形態について図面を参照しながら説明する。
［実施の形態の概要］
本発明の実施の形態に係る写真・動画像提供システムは、写真・動画撮影装置で写真と動画が撮影されると、予め準備されていた写真データ（写真・動画撮影装置で予め撮影された写真データを含む）と撮影された写真データで合成写真が作成され、予め準備された動画データ（写真・動画撮影装置で予め撮影された動画データを含む）と撮影された動画データで合成動画が編集作成され、管理サーバに合成写真のデータと合成動画のデータがアップロードされると共に、合成写真がシートに印刷され、そのシートには管理サーバにアクセスする情報が含まれており、その情報でユーザの携帯端末からアクセスがあると、合成写真のデータと合成動画データをダウンロードするものであり、記念写真、記念動画を容易にイベントの参加者に提供できるものである。
【００２６】
［本システム：図１］
本発明の実施の形態に係る写真・動画像提供システム（本システム）の概略について図１を参照しながら説明する。図１は、本システムの概略図である。
本システムは、図１に示すように、写真・動画撮影装置１と、管理サーバ２と、ネットワーク３と、基地局４とを有している。
本システムでは、写真・動画撮影装置１と管理サーバ２とがネットワーク３を介して接続している。
また、写真・動画撮影装置１とユーザが保有するスマートフォン又はタブレット等の携帯端末５は、無線通信を介してネットワーク３に接続している。
【００２７】
［本システムの各部］
次に、本システムの各部について説明する。
［写真・動画撮影装置１］
写真・動画撮影装置１は、結婚披露宴等のイベントにおける招待客（参加者）の写真を撮影すると共に動画の撮影も行う。
そして、写真・動画撮影装置１は、撮影した写真データと予め写真・動画撮影装置１で撮影しておいた新郎新婦の写真データ及び予め準備された画像データと合成し、印刷を行う。
具体的には、写真・動画撮影装置１は、撮影した写真データの背景画像に予め準備しておいた背景画像データを合成して「撮影写真データ」を作成し、撮影した写真データの前景に予め準備しておいた写真データを配置し、背景に予め準備しておいた背景画像データを配置して合成して「合成写真データ」を作成する。
そして、写真・動画撮影装置１は、撮影写真データと合成写真データを１枚のシートに印刷する。
【００２８】
また、写真・動画撮影装置１は、撮影した動画データと予め写真・動画撮影装置１で撮影しておいた新郎新婦の動画データ及び予め準備された動画データと合成して編集し、統合する。
具体的には、写真・動画撮影装置１は、撮影した動画データの前景に予め準備しておいた新郎新婦の動画データを配置し、背景に予め準備しておいた動画データを配置して合成して「合成動画データ」を作成し、更に複数の合成動画データを編集して統合して「統合動画データ」を作成する。
尚、合成動画データが一つだけの場合、統合を行わず、合成動画データをアップロードの対象とする。
【００２９】
また、写真・動画撮影装置１は、撮影写真データ、合成写真データ及び統合動画データを管理サーバ２にアップロードする。
写真・動画撮影装置１の処理動作の詳細は、後述する。
【００３０】
［管理サーバ２］
管理サーバ２は、写真・動画撮影装置１からアップロードされた撮影写真データと合成写真データ、更に統合動画データを受け取り、記憶部２２における特定アドレスに格納する。
また、管理サーバ２は、招待客のスマートフォン等の携帯端末５からアクセスがあると、該当する合成写真データ及び撮影写真データを携帯端末５にダウンロード（配信）する。
更に、管理サーバ２は、携帯端末５からアクセスがあると、統合動画像データを携帯端末５にダウンロードする。
【００３１】
［ネットワーク３、基地局４］
ネットワーク３は、インターネットを想定している。
基地局４は、無線通信を行うための中継基地局である。
【００３２】
［携帯端末５］
携帯端末５は、スマートフォン又はタブレット等の情報端末であり、２次元バーコード（例えば、ＱＲコード（登録商標））等の識別コードをカメラで読み取ると、そのコードに含まれるアクセス先（管理サーバ２）に接続し、更に２次元バーコードに含まれる情報を管理サーバ２に提供する。
２次元バーコードは、写真・動画撮影装置１で出力されるシートに印刷されるものであるが、写真・動画撮影装置１の表示画面に表示して、それを携帯端末５に読み取らせてもよい。
また、携帯端末５は、管理サーバ２から撮影写真データ、合成写真データ、統合動画データの配信を受ける（ダウンロードする）ものである。
【００３３】
［本システムの動作概略］
本システムにおける動作概略を説明する。
結婚披露宴の招待客は、写真・動画像撮影装置１で写真撮影と動画撮影を行う。写真撮影は、撮影写真データ用に１回、合成写真データ用に１回と、計２回行う。
写真・動画像撮影装置１では、撮影写真データと合成写真データを生成し、統合動画データを生成して、撮影写真データ、合成写真データ、更に統合動画データを管理サーバ２にアップロードする。
そして、写真・動画像撮影装置１では、撮影写真データと合成写真データが１枚のシートに印刷され、そのシートには管理サーバ２にアクセスするためのアドレス、結婚式ＩＤ、ユーザＩＤの情報を含む２次元バーコードが付与されている。
結婚式ＩＤ、ユーザＩＤの情報については、ユーザデータ管理テーブルの説明で詳しく述べる。
【００３４】
招待客は、シートに印刷された２次元バーコードを携帯端末５で読み込み、管理サーバ２にアクセスする。
管理サーバ２は、そのアクセスに対応して該当する撮影写真データ、合成写真データを携帯端末５にダウンロードする。
更に、動画撮影が終了し、動画データについて合成動画データが生成され、全ての合成動画データについて編集して統合し、統合動画データが生成されて管理サーバ２にアップロードされ、統合動画データが関係するユーザの携帯端末５にダウンロードされる。
【００３５】
［写真・動画像撮影装置；図２］
次に、本システムにおける写真・動画像撮影装置１について詳しく図２を参照しながら説明する。図２は、写真・動画撮影装置の構成ブロック図である。
写真・動画像撮影装置１は、図２に示すように、ＰＣ（パーソナルコンピュータ）１０と、カメラ１０１と、フラッシュ１０２と、プリンタ１０３と、照明部１０４と、ランプ１０５と、冷却ファン１０６と、ＵＳＢ（Universal Serial Bus）等のデータポート１０７と、通信モジュール１０８と、バーコードリーダー１０９と、タッチパネルモニター１１０と、スピーカー１１１と、バッテリー１１２とを備えている。
【００３６】
カメラ１０１は、写真・動画を撮影するもので、フラッシュ１０２は、写真撮影の時に発光し、プリンタ１０３は、合成写真等をシートに印刷し、照明部１０４は、撮影現場を明るくするものであり、ランプ１０５は、プリンタ１０３の動作状態を表示する。
冷却ファン１０６は、装置を冷却するためのファンであり、データポート１０７は、背景画像データ等や関連するプログラム等をインポートし、また、記憶部１２内のデータをエクスポートする。
通信モジュール１０８は、ネットワーク３に接続するための通信機器であり、バーコードリーダー１０９は、２次元バーコードを読み取り、タッチパネルモニター１１０は、操作方法を表示し、指示を入力させ、スピーカー１１１は、操作の音声を出力し、バックグランドの音楽を出力するものである。
【００３７】
バーコードリーダー１０９を用いているため、写真・動画撮影装置１はコイン投入式の装置ではなく、有効な２次元バーコードを読み取ることで、動作を開始するものとなっている。コイン投入式の装置であると、コイン投入口等を壊される恐れがあるが、バーコード読み取り式では、コインを保管しないので、その心配がない。
また、有効な２次元バーコードは、管理サーバ２から提供されて特定の用紙に印刷されたものであり、披露宴会場側から招待客に提供される。この２次元バーコードを用紙ではなく、披露宴会場側のスタッフのスマートフォンに管理サーバ２から送信して、そのスマートフォンの表示画面に２次元バーコードを表示させ、それを写真・動画撮影装置１に読み取らせるようにしてもよい。
【００３８】
バッテリー１１２は、充電式で、各部へ電力を供給する電源である。写真・動画撮影装置１がバッテリー駆動であるため、使用時は電源コードを写真・動画撮影装置１の本体内に収納でき、本体を運搬・移動できるものである。
更に、各部はＰＣ１０に接続し、ＰＣ１０が各部を制御するようになっている。
【００３９】
また、写真・動画撮影装置１の正面に対向して、被写体の後方にはスクリーンが設けられている。スクリーンの色は緑で、被写体の背景を認識し、被写体部分の画像を抽出し易くしている。
尚、写真・動画撮影装置１とスクリーンの位置を保つために、両者を連結するプレートを床面に配置するようにしてもよい。
【００４０】
［ＰＣの内部構成； 図３］
次に、写真・動画撮影装置１におけるＰＣ１０について図３を参照しながら説明する。図３は、ＰＣの内部構成を示す図である。
ＰＣ1０は、図３に示すように、制御部１１と、記憶部１２と、インタフェース部１３とから構成されている。
【００４１】
制御部１１は、記憶部１２に格納された処理プログラムを読み込み、処理を実行するものであり、処理プログラムの実行によって実現される機能実現手段は、事前画像設定手段、写真撮影手段、写真合成手段、動画撮影手段、動画合成手段、印刷手段、統合手段、写真・動画データアップロード手段等がある。これらの手段の詳細については後述する。
記憶部１２には、処理プログラムが格納されると共に、結婚式ＩＤ毎に前景写真データ、背景画像データが記憶され、撮影された写真データ、動画データが結婚式ＩＤとユーザＩＤの組み合わせに対応付けて記憶される。
また、記憶部１２には、後述する結婚式管理テーブルを記憶している。
インタフェース部１３は、写真・動画撮影装置１の各部が接続するインタフェースである。
【００４２】
［写真・動画撮影装置の外観：図４］
次に、写真・動画撮影装置１の外観について図４を参照しながら説明する。図４は、写真・動画撮影装置の外観図であり、（ａ）が正面図、（ｂ）が右側面図である。
写真・動画撮影装置１は、図４に示すように、正面中央にタッチパネルモニター１１０が設けられ、その上にカメラ１０１、その左右にスピーカー１１１が配置されている。
また、写真・動画撮影装置１の背面には冷却ファン１０６が設けられ、上下に照明部とフラッシュ１０２が配置され、右側面にはバーコードリーダー１０９とプリンタの取り出し口１０３ａ、ランプ１０５が設けられている。取り出し口１０３ａから合成写真等が印刷されたシートが出力される。
【００４３】
［管理サーバ：図５］
次に、管理サーバ２について図５を参照しながら説明する。図５は、管理サーバ２の構成ブロック図である。
管理サーバ２は、図５に示すように、制御部２１と、記憶部２２と、インタフェース部２３とを有している。尚、請求項では、制御部２１は制御装置と、記憶部２２は記憶装置と表現している。
【００４４】
制御部２１は、記憶部２２に格納された処理プログラムを読み込み、処理を実行するものであり、処理プログラムの実行によって実現される機能実現手段は、写真・動画データアップロード受付手段、写真・動画データダウンロード手段等がある。これらの手段の詳細については後述する。
【００４５】
記憶部２２は、処理プログラムの他に、撮影写真データ、合成写真データ、統合動画データを記憶し、更にそれらのデータを管理するためのユーザデータ管理テーブル、イベントに関する情報を管理するイベント管理テーブルを記憶している。尚、本実施の形態では、結婚披露宴を例にしているので、イベント管理テーブルは、結婚式管理テーブルとなる。
インタフェース部２３は、ネットワークに接続するためのインタフェースである。
【００４６】
［ユーザデータ管理テーブル：図６］
ユーザデータ管理テーブルについて図６を参照しながら説明する。図６は、ユーザデータ管理テーブルを示す概略図である。
ユーザデータ管理テーブルは、図６に示すように、イベントＩＤとしての結婚式ＩＤ、ユーザＩＤ、写真データ格納アドレス（１）、写真データ格納アドレス（２）、動画像データ格納アドレスを記憶している。
【００４７】
結婚式ＩＤは、結婚披露宴を特定する識別子であり、ユーザＩＤは写真撮影を行う毎に付与される識別子（招待客の識別子）である。本システムでは、写真・動画撮影装置１で結婚式ＩＤとユーザＩＤが付与され、合成写真データ等のアップロードの際に管理サーバ２に送信される。
尚、ユーザＩＤは、写真撮影毎に付与されるＩＤであるため、「撮影ＩＤ」とも称する。例えば、同じ招待客が何度も写真撮影を行うと、その度毎に異なった撮影ＩＤが付与されることになる。
撮影ＩＤは、撮影の順番を示すものであってもよいし、撮影の時刻を示すものであってもよい。
【００４８】
写真データ格納アドレス（１）は、写真・動画撮影装置１からアップロードされた合成写真データを格納する記憶部２２のアドレスである。
写真データ格納アドレス（２）は、写真・動画撮影装置１からアップロードされた撮影写真データを格納する記憶部２２のアドレスである。
動画像データ格納アドレスは、写真・動画撮影装置１からアップロードされた統合動画データを格納する記憶部２２のアドレスである。
【００４９】
本システムにおけるユーザデータ管理テーブルでは、初期段階で情報は設定されておらず、合成写真データ等のアップロードの時に、写真・動画撮影装置１で付与された結婚式ＩＤと撮影ＩＤ（ユーザＩＤ）が設定され、そして、合成写真データ、撮影写真データ、統合動画データの格納アドレスが設定される。
【００５０】
［結婚式管理テーブル：図７］
結婚式管理テーブルについて図７を参照しながら説明する。図７は、結婚式管理テーブルを示す概略図である。
結婚式管理テーブルは、図７に示すように、結婚式ＩＤ、日時データ、式場データ、担当者ＩＤ等を記憶している。
【００５１】
結婚式ＩＤは、結婚披露宴を特定する識別子であり、日時データは、結婚披露宴の日時を示すデータであり、式場データは、式場又は披露宴会場を示すデータであり、担当者ＩＤは、結婚式場側の担当者を特定するための識別子である。
結婚式管理テーブルは、写真・動画撮影装置１にそのコピーが提供される。本システムでは、結婚式管理テーブルのコピーを管理サーバ２から提供するようにしているが、ネットワーク３に接続する別のコンピュータで結婚式管理テーブルを作成して、管理サーバ２と写真・動画撮影装置１にそのコピーを配信してもよい。
【００５２】
［写真・動画撮影装置で実行される機能実現手段］
次に、写真・動画撮影装置１で実行される機能実現手段について説明する。
写真・動画撮影装置１で記憶部１２に格納された処理プログラムが制御部１１に読み込まれて実行される機能実現手段として、事前画像設定手段、写真撮影手段、写真合成手段、動画撮影手段、動画合成手段、統合手段、印刷手段、写真・動画データアップロード手段等がある。
以下、各機能実現手段について説明する。
【００５３】
［事前画像設定手段］
事前画像設定手段（準備手段）は、予め写真・動画撮影装置１で撮影された写真データについて背景画像を取り除き、前景画像となる前景写真データを生成して記憶部１２に記憶する。
また、事前画像設定手段は、新郎新婦との合成写真用の背景の画像データと、招待客だけで撮影された撮影写真用の背景の画像データを入力して記憶部１２に記憶する。背景の画像データは、データポート１０７から入れ替えることができる。
尚、事前画像設定手段は、前景写真データと背景画像データを結婚式ＩＤに関連付けて記憶部１２に記憶しておく。
【００５４】
前景写真データは、例えば、予め新郎新婦の写真を写真・動画撮影装置１で撮影し、新郎新婦の背景部分を取り除いて前景画像としての前景写真データが生成される。
また、背景画像データは、結婚式場の写真又は任意の写真（例えば、花の画像、自然の風景の画像）のデータを用いることができる。背景画像データとして、写真ではなく図柄又はイラストを用いてもよい。
【００５５】
［写真撮影手段］
写真撮影手段は、結婚披露宴の当日、招待客が披露宴会場に来場し、披露宴会場の近くに設置された写真・動画撮影装置１で写真撮影を行う場合に動作する手段である。
写真・動画撮影装置１のタッチパネルモニター１１０で撮影の操作が為されると、カメラ１０１の前の被写体について顔を認識し、写真撮影を行い、撮影した写真データをＰＣ１０の記憶部１２に記憶する。
撮影ＩＤを付加するため、シートを必要数印刷するために、認識した顔の数をカウントし、記憶部１２に記憶しておく。
【００５６】
バーコードリーダー１０９で、用紙に印刷された２次元バーコードを読み取らせることで結婚式ＩＤが付与され、撮影毎に撮影ＩＤが付与され、その結婚式ＩＤと撮影ＩＤの組み合わせに対応付けて写真データを記憶部１２に記憶する。この場合、撮影ＩＤは、撮影毎に付与されることになるから、例えば、撮影の順番を示すものとなる。
尚、タッチパネルモニター１１０の操作で、結婚披露宴を特定させることで結婚式ＩＤを付与してもよい。
【００５７】
また、複数の招待客が合同で写真撮影した場合には、顔認識された招待客のそれぞれに異なる撮影ＩＤが付与される。
尚、合同で複数人が写真撮影した場合に、顔認識された招待客すべてに同じ撮影ＩＤを付与するようにしてもよい。つまり、結婚式ＩＤと撮影ＩＤの組み合わせが同じものになる。この場合、後述する印刷手段で印刷されるシートには、同じ２次元バーコードが付与されることになり、２次元バーコードを読み込んだ携帯端末５からの写真データのダウンロード要求に対して何度もダウンロード可能とするものである。
撮影ＩＤ（ユーザＩＤ）の付与の応用例については後述する。
【００５８】
［写真合成手段］
写真合成手段は、結婚式ＩＤと撮影ＩＤの組み合わせ（結婚式ＩＤ＋撮影ＩＤ）毎に記憶部１２から撮影した写真データを読み込み、その写真データについて背景部分を取り除き、事前画面設定手段で準備された背景画像データを背景画像として用いて合成し、撮影写真データを生成し、「結婚式ＩＤ＋撮影ＩＤ」に対応付けて記憶部１２に記憶する。撮影写真データは、招待客だけが撮影された写真データとなる。
【００５９】
また、写真合成手段は、「結婚式ＩＤ＋撮影ＩＤ」毎に記憶部１２から撮影した写真データを読み込み、その写真データについて背景部分を取り除き、前景写真データを前景に配置し、背景画像データを背景に配置して合成し、合成写真データを生成し、「結婚式ＩＤ＋撮影ＩＤ」に対応付けて記憶部１２に記憶する。この合成写真データは、新郎新婦と招待客が一緒に撮影されたような合成写真データとなる。
【００６０】
［写真合成の例：図１１，図１２］
写真合成手段における写真合成の例について図１１、図１２を参照しながら説明する。図１１は、前景画像、撮影画像、背景画像を示す図であり、図１２は、合成画像を示す図である。
図１１（ａ）が、新郎新婦の写真データから背景画像を取り除いて前景画像データ（前景写真データ）を生成して得られた写真例であり、図１１（ｂ）が、招待客を撮影した写真データから背景画像を取り除いて撮影画像データを生成して得られた写真例であり、図１１（ｃ）が、背景画像データによる背景画像例である。
【００６１】
そして、図１１の（ａ）〜（ｃ）の前景画像データ、撮影画像データ、背景画像データを重ね合わせて合成した図１２の写真例となる合成画像データを生成する。
具体的には、図１１（ｂ）の撮影画像データの前景に図１１（ａ）の前景画像データを配置し、図１１（ｂ）の撮影画像データの背景に図１１（ｃ）の背景画像データを配置して、重ね合わせて合成することで合成写真データが生成される。
【００６２】
［動画撮影手段］
動画撮影手段は、写真撮影が終了すると続いて動作するもので、招待客を特定の時間（例えば、５秒程度）撮影し、動画像データ（動画データ）を生成し、「結婚式ＩＤ＋撮影ＩＤ」に対応付けて記憶部１２に記憶する。
動画データには、音声データを含めるようにしてもよいし、音声データを含めないようにしてもよい。尚、動画データに音声データを含める場合には、図２の構成に音声入力手段となるマイクを設けるものとする。
また、以下に説明する統合手段で統合動画データに編集する際に、音楽やナレーションのデータを付加することができる。
【００６３】
［動画合成手段］
動画合成手段は、動画データについて、背景部分を切り取り、背景画像データと合成し、若しくは前景写真データ及び背景画像データと合成して合成動画像データを生成し、記憶部１２に記憶する。更に、背景画像データを動画像データとしてもよく、また、前景写真データの代わりに前景部分に動画像データを用いて合成してもよい。
【００６４】
［統合手段］
統合手段は、全ての合成動画像データの生成終了を認識すると、結婚式ＩＤで関連付けられた合成動画データを統合して統合動画データを生成する編集処理を行う。
合成動画像データの生成終了の認識は、披露宴会場側の関係者が写真・動画撮影装置１のタッチパネルモニター１１０から終了の指示を入力することで行うことができる。また、結婚式管理テーブルの日時データから終了時間を写真・動画撮影装置１の制御部１１が認識し、その終了時刻又はその終了時刻から一定時間経過時をタイムアップとして動画撮影終了を認識してもよい。
【００６５】
編集は、撮影順番の時系列に動画データをつなぎ合わせて統合してもよいが、時系列に統合せず、ランダムに統合してもよい。
また、統合手段は、合成動画データを統合して統合動画データに編集する際に、音楽やナレーションのデータを付加することができる。
尚、統合する動画データの前後に、別の写真データ又は／及び動画データ（例えば、新郎新婦の写真データ又は／及び動画データ）を挿入するようにしてもよい。更に、招待客が写真撮影手段で撮影した写真データ又は／及び写真合成手段で合成された撮影写真データを動画データの前後に挿入するようにしてもよい。
統合動画データは、例えば、オープニングタイトル、招待客の合成動画（前景動画、招待客動画、及び背景静止画又は背景動画を合成した動画）、新郎新婦の合成動画（前景動画、新郎新婦の静止画又は動画、及び背景静止画又は背景動画を合成した動画）、エンドロールのデータで構成されるものである。
ここで、背景動画は、写真データを一方向又は多方向に移動させ、若しくは写真データを拡大又は縮小させるようにしたものであってもよい。
【００６６】
また、統合手段は、結婚式ＩＤで関連付けられた写真データを編集統合して編集写真データを作成するようにしてもよい。編集写真データとしては、新郎新婦の写真の背景に招待客全員の顔写真を配置したフォトコラージュを作成してもよい。フォトコラージュには、結婚式の年月日、新郎新婦の氏名を掲載する。
また、編集写真データとして、新郎新婦の写真データと複数の撮影写真データをつなぎ合わせた一連の電子的ミニアルバムを作成してもよい。この電子的なミニアルバムをスライドショー方式で再生させるファイル形式としてもよい。
更に、統合手段は、フォトコラージュの動画版（編集動画データ）を作成してもよい。この動画版は、前景動画に新郎新婦の動画データ又は写真データを配置し、背景に招待客全員の動画データを配置して合成した動画像データで、動画コラージュ（ムービーコラージュ、ビデオコラージュ）となる。
【００６７】
［印刷手段］
印刷手段は、写真撮影が終了すると動作するもので、写真合成手段で生成された撮影写真データ、合成写真データをシートに印刷する処理を行う。
シート印刷は、写真撮影手段で顔認識を行っているため、認識した顔の人数分を印刷する。
また、印刷手段は、合成写真部分又はシートの余白部分に新郎新婦の名前、結婚式の年月日、式場を印刷するようにしてもよい。この場合、印刷手段は、記憶部１２に記憶されている結婚式管理テーブルに設定されている情報を取得してから印刷を行う。
【００６８】
更に、印刷手段は、シートへの印刷の際に、管理サーバ２へのアクセスアドレス情報、結婚式ＩＤと撮影ＩＤの情報を含む２次元バーコードをシートの一部に印刷する。
尚、写真撮影手段で招待客毎に異なる撮影ＩＤを付与しているため、シートを複数枚印刷する場合には、撮影ＩＤは異なるものとしておく。
本システムでは、２次元バーコードを用いているが、１次元バーコードを用いても、その他の識別情報を用いてもよい。
【００６９】
［写真・動画データアップロード手段］
写真・動画データアップロード手段は、記憶部１２に記憶された撮影写真データ、合成写真データ、統合動画データについて結婚式ＩＤと撮影ＩＤを付与して管理サーバ２にアップロードする。
招待客が複数人で写真撮影、動画撮影した場合には、その複数人ではデータは同じになるため、撮影写真データ、合成写真データ、統合動画データについて複数人分の異なる「結婚式ＩＤ＋撮影ＩＤ」を付与してアップロードするのがデータの伝送効率を高めることになる。
【００７０】
尚、招待客が複数人で写真撮影、動画撮影した場合で、すべての招待客に同じ「結婚式ＩＤ＋撮影ＩＤ」を付与することとした場合には、撮影写真データ等にその「結婚式ＩＤ＋撮影ＩＤ」を付してアップロードを行うことになり、管理サーバ２におけるユーザデータ管理テーブルでも、その一つの「結婚式ＩＤ＋撮影ＩＤ」に対して受信した各種データの格納アドレスが設定される。
【００７１】
そして、複数人分の異なる「結婚式ＩＤ＋撮影ＩＤ」を付与した場合に、管理サーバ２では、複数人分の異なる「結婚式ＩＤ＋撮影ＩＤ」と一種類の撮影写真データ、合成写真データ、動画データを受信し、ユーザデータ管理テーブルには複数の異なる「結婚式ＩＤ＋撮影ＩＤ」を設定するものの、受信した各種のデータの格納アドレスは同じに設定される。
【００７２】
［写真・動画撮影装置での処理フロー：図８］
次に、写真・動画撮影装置での処理フローについて図８を参照しながら説明する。図８は、写真・動画撮影装置での処理を示すフローチャートである。
写真・動画撮影装置１では、写真撮影手段と動画撮影手段により、招待客が写真及び動画の撮影を行う処理が為される（Ｓ１１）。
すると、写真・動画撮影装置１では、写真合成手段により、撮影した写真データと事前に撮影された新郎新婦の写真データから作成された前景写真データ、事前に準備された背景画像データとを合成する処理を行う（Ｓ１２）。ここで合成された写真データが「合成写真データ」となる。
尚、撮影した写真データについても事前に準備された背景画像データと合成し、撮影写真データを生成する処理も行う。ここで合成された写真データが「撮影写真データ」となる。
合成写真データと撮影写真データは、結婚式ＩＤと撮影ＩＤが付与されて記憶部１２に記憶される。
【００７３】
また、動画合成手段により、撮影された動画データと事前に準備された背景画像データ（静止画像データ又は動画像データ）とを合成する処理を行う（Ｓ１３）。ここで合成された動画データが「合成動画データ」となる。
尚、合成動画データについて、前景画像として、事前に準備された前景画像データ（静止画像データ又は動画像データ）、背景部分を取り除いた新郎新婦の動画データを用いて合成してもよい。
合成画像データは、結婚式ＩＤと撮影ＩＤが付与されて記憶部１２に記憶される。
【００７４】
次に、印刷手段により、合成写真と撮影写真を印刷する処理を行う（Ｓ１４）。この印刷処理においては、管理サーバにアクセスするためのアドレス、結婚式ＩＤ及び撮影ＩＤの情報を含む２次元バーコードを生成して合成写真等を掲載したシートに印刷する。
そして、写真・動画データアップロード手段により、合成写真データ、撮影写真データに「結婚ＩＤ＋撮影ＩＤ」を付して管理サーバ２にアップロードし（Ｓ１５）、処理を終了する。
【００７５】
そして、統合手段により、複数の合成動画データを統合する処理を行う（Ｓ１６）。ここで統合された動画データが「統合動画データ」となる。
次に、写真・動画データアップロード手段により、統合画像データに「結婚ＩＤ＋撮影ＩＤ」を付して管理サーバ２にアップロードする（Ｓ１７）。
【００７６】
［管理サーバで実行される機能実現手段］
次に、管理サーバで実行される機能実現手段について説明する。
管理サーバ２で記憶部２２に格納された処理プログラムが制御部２１に読み込まれて実行される機能実現手段として、写真・動画データアップロード受付手段、写真・動画データダウンロード手段等がある。
以下、各機能実現手段について説明する。
【００７７】
［写真・動画データアップロード受付手段］
写真・動画データアップロード受付手段は、写真・動画撮影装置１から写真・動画データのアップロードがあると、それらデータに付与された「結婚式ＩＤ＋撮影ＩＤ」をユーザデータ管理テーブルに設定し、アップロードされた写真データ、動画データを記憶部２２に格納すると共に、格納したデータのアドレスをユーザデータ管理テーブルに設定する。
【００７８】
［写真・動画データダウンロード手段］
シートに印刷された２次元バーコードを招待客（ユーザ）の携帯端末５のカメラで読み込むと、携帯端末５が２次元バーコードから管理サーバ２のアドレスを認識して管理サーバ２にアクセスすることになる。当該アクセスでは、携帯端末５から結婚式ＩＤ、撮影ＩＤの情報が提供される。
【００７９】
２次元バーコードを携帯端末５が読み込んで管理サーバ２にアクセスし、ダウンロードを行う処理は、携帯端末５内のアプリケーションの動作によって為されるものである。
具体的には、携帯端末５のカメラが２次元バーコードを読み取ると、バーコード読み取りアプリで表示画面にリンクのパスが表示されるので、そのパスを選択すると、管理サーバ２にアクセスする。
そして、携帯端末５の表示画面に写真・動画のダウンロードを行うためのボタンを表示する。ボタンとしては、写真ダウンロードボタンと動画ダウンロードボタンがある。
【００８０】
動画ダウンロードボタンは、統合動画データが整うまでは、表示されても、機能しないボタンとなる。または、動画ダウンロードボタンを押して、管理サーバ２に動画ダウンロード要求を行っても、動画データがまだアップロードされていない場合には、携帯端末５の表示画面に、準備が整っていない旨を表示して、改めて動画ダウンロード要求を行うよう指示を表示する。
ダウンロードボタンを選択すると、携帯端末５のダウンロードフォルダに写真データがダウンロードされる。
【００８１】
写真・動画データダウンロード手段は、そのアクセスによって写真データのダウンロードか動画データのダウンロードかを判定して、写真データのダウンロードであれば、携帯端末５から提供される「結婚式ＩＤ＋撮影ＩＤ」に基づいてユーザデータ管理テーブルにおけるその「結婚式ＩＤ＋撮影ＩＤ」に対応する写真データ（撮影写真データ及び合成写真データ）をユーザの携帯端末５にダウンロード（配信）する。
また、動画データのダウンロードを判定した場合、携帯端末５から提供される「結婚式ＩＤ＋撮影ＩＤ」に基づいてユーザデータ管理テーブルにおけるその「結婚式ＩＤ＋撮影ＩＤ」に対応する統合動画データをユーザの携帯端末５にダウンロードする。
写真・動画データダウンロード手段は、統合動画データのダウンロードに加えて、またはそれに代えて、編集写真データを携帯端末５にダウンロードしてもよい。
【００８２】
［管理サーバでの処理：図９，図１０］
次に、管理サーバでの処理フローについて図９、図１０を参照しながら説明する。図９は、管理サーバでの処理（１）を示すフローチャートであり、図１０は、管理サーバでの処理（２）を示すフローチャートである。
［写真データのアップロードとダウンロード処理］
管理サーバ２は、図９に示すように、写真・動画データアップロード受付手段により、写真・動画撮影装置１からの写真データのアップロードの受付処理を行う（Ｓ２１）。受付処理は、写真データに付与された結婚式ＩＤ、撮影ＩＤを読み取り、認識してユーザデータ管理テーブルに設定するものである。
【００８３】
そして、「結婚式ＩＤ＋撮影ＩＤ」に対応付けて写真データを記憶部２２に格納し、それらデータの格納アドレスをユーザデータ管理テーブルに設定する（Ｓ２２）。
次に、写真データダウンロード手段により、携帯端末５から管理サーバ２に写真データのダウンロード要求があったか否かを判定する（Ｓ２３）。
【００８４】
写真データのダウンロード要求は、携帯端末５が印刷シートの２次元バーコードを読み取って行うものであるから「結婚式ＩＤ＋撮影ＩＤ」が管理サーバ２に提供される。
そして、ダウンロード要求がなければ（Ｎｏの場合）判定処理Ｓ２３を繰り返し、ダウンロード要求があれば（Ｙｅｓの場合）、ユーザデータ管理テーブルを参照して「結婚式ＩＤ＋撮影ＩＤ」に対応して記憶部２２に格納された写真データ（合成写真データと撮影写真データ）を要求があった携帯端末５にダウンロード（配信）する処理を行う（Ｓ２４）。
【００８５】
［動画データのアップロードとダウンロード処理］
また、管理サーバ２は、図１０に示すように、写真・動画データアップロード受付手段により、写真・動画撮影装置１からの動画データのアップロードの受付処理を行う（Ｓ３１）。受付処理は、動画データに付与された結婚式ＩＤを読み取る。
【００８６】
そして、結婚式ＩＤに対応付けて動画データを記憶部２２に格納し、動画データの格納アドレスをユーザデータ管理テーブルに設定する（Ｓ３２）。ユーザデータ管理テーブルでは、「結婚式ＩＤ＋撮影ＩＤ」に対応付けて動画像データの格納アドレスを設定するようになっているため、結婚式ＩＤが一致する（共通する）動画データの格納アドレスの設定欄には、同一の格納アドレスが設定されることになる。
【００８７】
次に、動画データダウンロード手段により、携帯端末５から管理サーバ２に動画データのダウンロード要求があったか否かを判定する（Ｓ３３）。
動画のダウンロード要求は、携帯端末５において写真のダウンロード要求を行った同じ表示画面で行うようにしているので、携帯端末５から管理サーバ２に「結婚式ＩＤ＋撮影ＩＤ」が提供される。
そして、ダウンロード要求がなければ（Ｎｏの場合）判定処理Ｓ３３を繰り返し、ダウンロード要求があれば（Ｙｅｓの場合）、ユーザデータ管理テーブルを参照して結婚式ＩＤに対応して記憶部２２に格納された動画データ（統合画像データ）を要求があった携帯端末５にダウンロード（配信）する処理を行う（Ｓ３４）。
上記ダウンロード処理は、ストリーミング配信を含むものである。
【００８８】
［グループ分けの編集］
写真・動画撮影装置１で写真・動画の撮影を行う場合に、タッチパネルモニター１１０の画面上で、グループ分けを行うようにしてもよい。
具体的には、画面上に「新郎側」「新婦側」のボタンを設け、招待客又は親族にいずれかのボタンを選択させることでグループ分けを行う。これにより、グループ毎に統合動画データを編集して作成できる。
【００８９】
統合動画データの他に、編集写真データ、フォトコラージュ、ムービーコラージュ、ビデオコラージュを、クループ毎に編集するようにしてもよい。
また、グループは「新郎招待客」「新婦招待客」「親族」の３つに分けるようにしてもよい。
【００９０】
［応用例］
次に、本システムの応用例について説明する。
応用例としては、結婚披露宴の招待状に招待客毎に結婚式ＩＤとユーザＩＤの情報を含む２次元バーコード（識別コード）を印刷して配送する。従って、招待状毎にユーザＩＤが異なっている。尚、招待状に２次元バーコードを印刷しているが、招待状の用紙とは別の用紙に２次元バーコードを印刷して招待状に同封してもよいし、携帯端末５のメールアドレスを取得していれば、携帯端末５に配信してもよい。
応用例においては、ユーザＩＤは撮影ＩＤではなく、招待客（ユーザ）毎に予め設定された識別子となる。
【００９１】
そして、管理サーバ２のユーザデータ管理テーブルでは、予め結婚式ＩＤとユーザＩＤ（結婚式ＩＤ＋ユーザＩＤ）に対応付けて招待客の氏名、住所、グループ名等を登録しておく。
また、写真・動画撮影装置１にも、「結婚式ＩＤ＋ユーザＩＤ」に対応付けて招待客の氏名、住所、グループ名等を登録したユーザ情報テーブルを記憶部１２に記憶しておく。
【００９２】
招待客は、写真・動画撮影装置１において、写真及び動画撮影を行う場合には、招待状の２次元バーコードをバーコードリーダー１０９で読み取ってから開始する。本システムでは、披露宴側の関係者が写真・動画撮影装置１を起動させるために２次元バーコードを読み込ませていたが、応用例では、招待客による招待状の２次元バーコードの読み取りで起動させるものである。
尚、２次元バーコードを読み取らせて写真・動画撮影装置１を起動させ、撮影を行うことができるのは１回限りである。一つの２次元バーコードで複数回の撮影はできないことになっている。
【００９３】
複数の招待客が一緒に写真撮影する場合にも、一緒に撮影される招待客について全ての招待状の２次元バーコードを読み取ってもらうようタッチパネルモニター１１０に指示を出力する。２次元バーコードの数だけ合成写真データ、撮影写真データが印刷されるシートが出力される。
応用例では、招待状に印刷された２次元バーコードから結婚式ＩＤとユーザＩＤを取得するものであり、本システムで撮影毎にユーザＩＤに撮影ＩＤを付与するものとは異なっている。
【００９４】
尚、写真撮影において顔認識した人数より２次元バーコードを読み取った人数が少ない場合には、２次元バーコードを読み取った招待客について処理を行えばよいが、人数一致しなかった人数分については新たなユーザＩＤ（この場合は「撮影ＩＤ」の意味となる）を付与して、上述した本システムにおける基本的な処理に従うようにしてもよい。
【００９５】
写真・動画撮影装置１は、招待状の２次元バーコードをバーコードリーダー１０９で読み込むと、記憶部１２に記憶されたユーザ情報テーブルを参照して、「結婚式ＩＤ＋ユーザＩＤ」で特定されるユーザの氏名等を取得し、シートに氏名を印刷すると共に、管理サーバ２のアドレス、対応する結婚式ＩＤとユーザＩＤの情報を含む２次元バーコードを印刷する。
【００９６】
尚、招待状に印刷した２次元バーコードに含まれる結婚式ＩＤとユーザＩＤを、予め管理サーバ２の記憶部２２のユーザデータ管理テーブルに設定するようにしたが、写真・動画撮影装置１から合成写真データ等がアップロードされるときに、提供される結婚式ＩＤとユーザＩＤを単純にユーザデータ管理テーブルにその都度設定してもよい。この場合、ユーザデータ管理テーブルでは、ユーザの氏名、住所、グループ等の情報を設定しないものとなる。
【００９７】
そして、写真・動画撮影装置１の統合手段では、撮影の順番ではなく、予め設定されたユーザＩＤの順番で合成動画データを統合して統合動画データを生成し、編集写真データ又は編集動画データを生成することができる。
例えば、ユーザＩＤの１〜１０が「新郎親族」のグループで、１１〜２０が「新婦親族」のグループで、２１〜３０が「新郎友人」のグループで、３１〜４０が「新婦友人」のグループであるとすると、グループ単位に動画データ等を編集して統合でき、整理された内容にすることができる。
【００９８】
更に、統合手段で、動画データ等の表示前に「新郎親族」等の文字（グループ名）を記載した画面を挿入するようにしてもよいし、各動画データ等の表示前にグループ名又は／及びユーザの氏名を記載した画面を挿入してもよい。
尚、「新郎親族」又は／及び氏名の文字は、動画データ等の中に挿入するようにしてもよい。
【００９９】
また、結婚披露宴の招待客は、披露宴会場に来場したときに、写真・動画撮影装置１で招待状に付された２次元バーコードを読み取ってもらうようにする。その際に、写真・動画撮影装置１では、カメラ１０１でその様子を撮影し、招待客の顔を認識し、招待客の顔の画像データと２次元バーコードから読み取った「結婚式ＩＤ＋ユーザＩＤ」を対応付けて記憶部１２に記憶する。この処理は、事前画像設定手段で行うようにしてもよく、別の手段で行うようにしてもよい。
【０１００】
このように、事前に招待客の顔を認識できれば、写真・動画撮影装置１で写真・動画の撮影を開始する際に、カメラ１０１で顔を撮影して記憶部１２に記憶された顔の画像データと照合を行い、ユーザが特定できた場合に、招待状に付された２次元バーコードを読み込ませる手間を省くことができる。
更に、写真・動画の撮影の場合に、複数人が同時に撮影されても、顔の画像データで招待客が認証できることになるので、撮影された招待客についてそれぞれの名前が付された合成写真等のシートを印刷出力できる。
【０１０１】
［別の写真・動画撮影装置の外観：図１３］
次に、本発明の実施の形態に係る別の写真・動画撮影装置（別の写真・動画撮影装置）について図１３を参照しながら説明する。図１３は、別の写真・動画撮影装置の外観図であり、（ａ）が正面図、（ｂ）が右側面図である。
別の写真・動画撮影装置は、図１３に示すように、正面中央にタッチパネルモニター２１０（第１のタッチパネルモニター）が設けられ、その上にカメラ２０１、その左右にスピーカー２１１が配置され、更に、上部左右に円形の照明部２０５ａ、モニター２１０の下側に照明部２０５ｂが設けられている。
照明部２０５ａ、２０５ｂは、ランプとフラッシュを備えている。
【０１０２】
装置の内部には、処理を実行するＰＣ、プリンタ等が設けられている。
また、別の写真・動画撮影装置の側面には、プリンタ取り出し口２０３ａとバーコードリーダー２０９が設けられている。
尚、別の写真・動画撮影装置の裏面に、タッチパネルモニター２１０とは別の（第２の）タッチパネルモニターを設けてもよい。このタッチパネルモニターに本装置の使用方法や広告を表示するようにしてもよい。
【０１０３】
別の写真・動画撮影装置のプリンタは、小型の白黒印刷を行うもので、レジのレシートのような小形のシートに、白黒の合成写真と２次元バーコードを印刷出力する。これにより、図４の装置と比べて、本体の小型化を図ることができ、安価に製造できるものである。
シートは、白黒印刷としたが、グレースケールにして、解像度を向上させることもできる。
【０１０４】
また、複数人で撮影を行った場合には、別の写真・動画撮影装置が顔認識処理で人数を特定して、人数分のシートを印刷してもよいが、シートを一枚印刷して、複数人がその一枚のシートの２次元バーコードを共有して各自の携帯端末５で読み取るようにしてもよい。その場合、一つの２次元バーコードに対して、一つ「結婚式ＩＤ＋ユーザＩＤ」が付与されるので、別の写真・動画撮影装置が顔認識処理で人数を特定することにより、管理サーバ２に「結婚式ＩＤ＋ユーザＩＤ」と人数を通知すると共に、合成写真データ、撮影写真データ、統合動画データのアップロードを行う。
【０１０５】
上記の例では、携帯端末５からの合成写真データ、撮影写真データ、統合動画データのダウンロードをユーザ毎に１度に限定しているが、同一ユーザがスマートフォンとパーソナルコンピュータ等の異なる端末で複数回ダウンロードするのには向いていない。このように、同一ユーザが複数回ダウンロードできるようにするには、特定期間内であれば何度でもダウンロード可能とするよう構成すればよく、ユーザの利便性を向上させることができる効果がある。
【０１０６】
そして、管理サーバ２は、ユーザ管理テーブルに「結婚式ＩＤ＋ユーザＩＤ」を設定すると共に、アップロードされた合成写真データ、撮影写真データ、統合動画データの格納場所を設定して、人数を記憶する。
管理サーバ２は、合成写真データ、撮影写真データ、統合動画データのダウンロードを行う場合は、その人数分のユーザの携帯端末５に対してダウンロードを行う。
【０１０７】
尚、携帯端末５によっては動画のストリーミングは可能であるものの、動画のダウンロードができない機種がある。このような場合、動画をダウンロードするには、携帯端末５からダウンロードのアクセス先をユーザのパーソナルコンピュータ（ＰＣ）に転送して、そのＰＣでデータのダウンロードを行ってもらえるようにする。
ダウンロード又はストリーミングの期間を一定期間に限定して、管理サーバ２でのデータの記憶量を低減する。
【０１０８】
そして、ユーザが上記別の写真・動画撮影装置で写真撮影と動画撮影を行うと、シートに合成写真と２次元バーコードが印刷され、その２次元バーコードを携帯端末５で読み込むと、携帯端末５が管理サーバにアクセスし、撮影写真データと合成写真データをダウンロードし、ダウンロードが可能となった統合動画データのダウンロードを行う。
【０１０９】
上記別の写真・動画撮影装置において、プリンタを設けず、タッチパネルモニター２１０に２次元バーコードを表示して、携帯端末５に読み取らせるようにしてもよい。プリンタを不要にすると、更に装置を小型化にでき、安価に製造できる。
また、裏面の第２のタッチパネルモニターに２次元バーコードを表示させ、携帯端末５に読み取らせるようにすれば、ユーザがカメラ２０１の前に留まる時間を短くでき、撮影処理を効率的に行うことができる。
【０１１０】
［携帯端末での処理フロー：図１４］
本システムにおける携帯端末の処理について図１４を参照しながら説明する。図１４は、携帯端末の処理を示すフローチャートである。
図１４に示すように、携帯端末５は、本システムに対応する専用アプリがインストールされているかどうかをユーザに判定させ（Ｓ４０）、インストールされていなければ（Ｎｏの場合）、管理サーバ２又はアプリを提供するサイトにアクセスして専用アプリをダウンロードする（Ｓ４１）。
判定処理Ｓ４０で専用アプリがインストール済みの場合（Ｙｅｓの場合）、また、処理Ｓ４１で専用アプリをダウンロードした場合には、携帯端末５は、事前２次元バーコードの読み取りを行う（Ｓ４２）。
【０１１１】
「事前２次元バーコード」とは、予めユーザを特定して配布されたバーコードであり、例えば、結婚式披露宴の招待状に招待客を個々に特定するために作成された２次元バーコードである。
処理Ｓ４２により事前２次元バーコードを読み取ることで、携帯端末５は、管理サーバ２にアクセスして、ユーザ登録（ユーザエントリ）を行わせる（Ｓ４３）。ユーザエントリは、２次元バーコードに基づいて、イベントＩＤ、ユーザＩＤ等が登録され、更にユーザによって氏名又はニックネーム等が登録される。
そして、事前２次元バーコードを携帯端末５が記憶部に記憶する（Ｓ４４）。
【０１１２】
その後、披露宴会場の近くに設置された写真・動画撮影装置に対して、携帯端末５の表示部に事前２次元バーコードを表示して読み取らせ、撮影処理を行う（Ｓ４５）。撮影された合成写真データ、撮影写真データ、統合動画データは、事前２次元バーコードに対応付けられた「結婚式ＩＤ（イベントＩＤ）＋ユーザＩＤ」に関連付けられてアップロードされる。
そして、携帯端末５で専用アプリを使用して管理サーバ２にアクセスし（Ｓ４６）、撮影写真データと合成写真データのダウンロードを行う（Ｓ４７）。
【０１１３】
次に、統合画像データのダウンロード可能かどうかを判定し（Ｓ４８）、可能であれば（Ｙｅｓの場合）、統合動画データをダウンロードする（Ｓ４９）。ダウンロード可能でなければ（Ｎｏの場合）、表示部に「ムービー作成中」を表示して（Ｓ５０）、ユーザから入力された、統合画像データのダウンロードを行うか、又は行わないかの指示を判定し（Ｓ５１）、行うの指示の場合（Ｙｅｓの場合）、処理Ｓ４８に戻り、行わないの指示の場合（Ｎｏの場合）は、処理を終了する。
【０１１４】
上記処理Ｓ４２は、事前２次元バーコードを読み取ると、管理サーバ２にアクセスして判定処理を行うようになっている。
そして、処理Ｓ４４，Ｓ４６〜Ｓ５０は、専用アプリによって為される処理であり、処理Ｓ４５は、記憶した事前２次元バーコードを表示させる処理であるため、専用アプリによって為される必要はないが、専用アプリを起動して事前２次元バーコードを表示させるものであってもよい。
【０１１５】
図１４に示した、事前２次元バーコードを携帯端末５に読み取らせる処理を用いれば、写真・動画撮影装置に事前２次元バーコードを読み取らせる必要はあるが、写真・動画撮影装置で２次元バーコードを印刷したり、表示したりする必要はなくなり、短時間で撮影処理を終了できる効果がある。
【０１１６】
［別のシステム］
次に、本発明の実施の形態に係る別のシステムについて説明する。
別のシステムでは、写真・動画撮影装置（撮影装置）１にタブレット端末又はスマートフォンを用いる。尚、タブレット端末等はタッチパネルスクリーン側の表面にカメラのレンズが設けられているので、ユーザがこれまで通り自ら撮影する。また、第三者に撮影してもらってもよい。
【０１１７】
そして、タブレット端末等において、本システムの写真・動画撮影装置１における同様の処理を行わせるようにしてもよいが、タブレット端末等における負荷が大きくなり、処理が遅くなる可能性があるので、タブレット端末等では、撮影した写真データと動画像データを管理サーバ２に送信し、管理サーバ２に接続するコントロールＰＣ（パーソナルコンピュータ）で写真データの合成、動画像データの編集等を行わせるようにしてもよい。尚、管理サーバ２とコントロールＰＣを一体の処理装置とみることもできるし、また、コントロールＰＣの機能を管理サーバ２で実現できるようにしてもよい。
【０１１８】
コントロールＰＣは、管理サーバ２に送信された写真データと動画像データを入力し、写真・動画撮影装置で実現された事前画像設定手段、写真合成手段、動画合成手段、統合手段を処理プログラムで実行できるようになっている。
コントロールＰＣで作成された合成写真データ、撮影写真データ、統合動画データは、管理サーバ２に出力され、ユーザデータ管理テーブルで管理される。
【０１１９】
そして、タブレット端末等で写真・動画撮影を行った場合には、そのタッチパネルスクリーンに２次元バーコードを表示させ、ユーザの携帯端末５に読み取らせて、管理サーバ２にアクセスして、合成写真データ、撮影写真データ、統合動画データをダウンロードできるようにする。
【０１２０】
つまり、別のシステムでは、タブレット端末等の撮影装置１が、写真撮影された写真データを記憶部１２に記憶する写真撮影手段と、撮影部で動画撮影が為されると、撮影した動画データを記憶部１２に記憶する動画撮影手段と、管理サーバ２にアクセスするための情報、イベントＩＤの情報及び撮影毎に付与されるユーザＩＤの情報を含む識別情報とをタッチパネルスクリーン（タッチパネルモニター１１０）の表示部に表示する表示手段と、写真データと動画データとにイベントＩＤ及びユーザＩＤを付して通信部（通信モジュール１０８）により管理サーバ２にアップロードするデータアップロード手段とを有している。
【０１２１】
また、コントロールＰＣ及び管理サーバ２、若しくはコントロールＰＣの機能を備える管理サーバ２は、前景画像となる前景写真データと、背景画像となる背景画像データとがイベントＩＤとユーザＩＤとの組み合わせに対応付けて記憶装置（コントロールＰＣの記憶部又は記憶部２２）に記憶されており、撮影装置１からアップロードされた写真データと動画データとをイベントＩＤとユーザＩＤの組み合わせに対応付けて記憶装置に格納する受付手段と、写真データと前景写真データ及び背景画像データとを合成して合成写真データを生成し、イベントＩＤとユーザＩＤの組み合わせに対応付けて記憶装置に記憶する写真合成手段と、動画データと背景画像データとを合成して合成動画データを生成し、イベントＩＤとユーザＩＤの組み合わせに対応付けて記憶装置に記憶する動画合成手段と、イベントＩＤに対応する合成動画データをイベントＩＤ単位に統合して統合動画データを生成する統合手段と、表示部に表示された識別情報を基にユーザの携帯端末５から管理サーバ２にアクセスがあると、識別情報に含まれるイベントＩＤとユーザＩＤの組み合わせに対応する合成写真データを携帯端末５にダウンロードする写真データダウンロード手段と、イベントＩＤに対応する統合動画データを携帯端末５にダウンロードする動画データダウンロード手段とを有している。
【０１２２】
［課金方式］
本システム又は別のシステムで、本装置を観光客用の撮影、アトラクション等のイベントのための撮影、ゲームに対応した撮影に用いる場合には、専用アプリをインストールして立ち上げ、該当する２次元バーコードをインターネットの決済を用いて購入してダウンロードすることで、上記撮影の合成写真データ等を有料で提供できるものとなる。
【０１２３】
［個人用合成動画データをダウンロード］
本システム及び他のシステムでは、管理サーバ２から合成写真データ、撮影写真データ、統合動画データをユーザの携帯端末５にダウンロードするようになっているが、それらのデータに加えて個人用合成動画データをダウンロードするようにしてもよい。
【０１２４】
ここで、個人用合成画像データとは、ユーザＩＤに対応した合成写真データ、撮影写真データ、合成動画データ（ユーザが撮影された動画データについて背景部分を切り取り、背景画像データと合成したデータ）を統合（結合）したデータである。
具体的には、イベント名、開催日、会場等の表題を表示し、次に合成写真データを数秒表示し、撮影写真データを数秒表示してから、合成動画データを表示するものである。
尚、背景画像データは、写真データ又は動画データ、若しくは図柄のデータであってもよい。
【０１２５】
個人用合成画像データをダウンロードするためには、本システムの写真・動画撮影装置１から管理サーバ２に合成写真データ、撮影写真データをアップロードする際に、生成した合成動画データも、イベントＩＤとユーザＩＤを付与して管理サーバ２にアップロードする。
また、管理サーバ２では、ユーザデータ管理テーブルでアップロードされた合成写真データ、撮影写真データと共に合成動画データをイベントＩＤとユーザＩＤに対応付けて記憶し、これらデータを基に動画合成手段で個人用合成動画データを生成する。
尚、個人用合成動画データを写真・動画撮影装置１の動画合成手段で生成し、個人用合成動画データをデータアップロード手段でアップロードするようにしてもよい。
【０１２６】
［実施の形態の効果］
本システムによれば、写真・動画撮影装置１で結婚披露宴の招待客の写真と動画の撮影が為されると、予め撮影された新郎新婦の写真データを前景画像とし、予め準備された画像データを背景画像として、撮影された写真データにそれらデータを合成した合成写真データと、予め準備された画像データを背景画像として、撮影された写真データにそのデータを合成した撮影写真データが作成され、撮影された動画データを合成して統合した統合動画データが作成され、管理サーバ２に合成写真データ、撮影写真データ、統合動画データがアップロードされて、合成写真、撮影写真と管理サーバ２のアクセス情報、結婚式ＩＤ及びユーザＩＤの情報を含む２次元バーコードとを印刷したシートが出力され、その２次元バーコードを招待客の携帯端末５で読み込みと、管理サーバ２にアクセスして対応する合成写真データ、撮影写真データをダウンロードし、更に結婚式ＩＤに関連する統合動画データを、ユーザの携帯端末５にダウンロードするものとしているので、結婚式等のイベントにおいて記念写真をシートで提供できると共に、記念写真データと記念動画データで容易に招待客に提供できる効果がある。
【０１２７】
また、応用例によれば、写真・動画撮影装置１で予め「結婚式ＩＤ＋ユーザＩＤ」に対して、ユーザのグループ名又は／及び氏名を対応付けておき、そして、招待状等に結婚式ＩＤとユーザＩＤの情報を含む２次元バーコードを印刷して、その２次元バーコードを写真・動画撮影装置１で読み込んで動作を開始し、撮影された写真データ、動画データに対応するユーザが特定されるので、写真データ、動画データにユーザのグループ名又は／及び氏名を付加でき、印刷されるシールにもユーザのグループ名又は／及び氏名を掲載でき、結婚式等のイベントにおいて記念写真をシートで提供できると共に、記念写真データと記念動画データを、更に整理された内容にて容易に招待客に提供できる効果がある。
【産業上の利用可能性】
【０１２８】
本発明は、結婚披露宴等のイベントの記念写真、記念動画を撮影し、招待客等の参加者に提供するのに最適な写真・動画像提供システムに好適である。
【符号の説明】
【０１２９】
１...写真・動画撮影装置、  ２...管理サーバ、  ３...ネットワーク、  ４...基地局、  ５...携帯端末、  １０...ＰＣ、  １１...制御部、  １２...記憶部、  １３...インタフェース部、  ２１...制御部、  ２２...記憶部、  ２３...インタフェース部、  １０１，２０１...カメラ、  １０２...フラッシュ、  １０３...プリンタ、  １０４...照明部、  １０５...ランプ、  １０６...冷却ファン、  １０７...データポート、  １０８...通信モジュール、  １０９，２０９...バーコードリーダー、  １１０，２１０...タッチパネルモニター、  １１１，２１１...スピーカー、  １１２...バッテリー、  ２０５...照明部
【図１】
0005939659.tif 000002
【図２】
0005939659.tif 000003
【図３】
0005939659.tif 000004
【図４】
0005939659.tif 000005
【図５】
0005939659.tif 000006
【図６】
0005939659.tif 000007
【図７】
0005939659.tif 000008
【図８】
0005939659.tif 000009
【図９】
0005939659.tif 000010
【図１０】
0005939659.tif 000011
【図１１】
0005939659.tif 000012
【図１２】
0005939659.tif 000013
【図１４】
0005939659.tif 000014
【図１３】
0005939659.tif 000015